(57)【要約】  【課題】  本発明は、数千枚程度の施工図を必要とする大規模な建築物をカバーでき、３次元ＣＡＤを施工段階で使用することによって、３次元ＣＡＤによる利点を生かした建築図面管理システムを提供することを目的とする。  【解決手段】  全体設計端末１で作成された枠データ３００をサーバ４に送信し、サーバ４中の記憶部４４に記憶させる。次に部分設計端末２をサーバ４に接続し、必要なレイヤ枠データを取得し、取得したレイヤ枠データを加工し、加工したレイヤ枠データをサーバ４に送信する。送信されたレイヤ枠データは、サーバ４中の前記記憶部４４に記憶される。毎日、現場管理端末３とサーバ４を接続して、建築現場で枠データをサーバ４から取得し、これを変換プログラム３４で３次元図面データに変換して、建築図面チェックをリアルタイムに行うことができる。【選択図】        図１
2006004109.tif 000002
【特許請求の範囲】
【請求項１】
枠データを記憶する記憶手段を備えたサーバと、
前記枠データを生成する生成手段と、前記サーバに前記枠データを送信する第１の送信手段とを備えた第１の端末と、
前記枠データを前記サーバから取得する第１の取得手段と、前記第１の取得手段により取得した枠データを加工し、前記加工した枠データを前記サーバに送信する第２の送信手段とを備えた第２の端末と、
前記枠データを前記サーバから取得する第２の取得手段と、前記第２の取得手段により取得した枠データを検証する検証手段を備えた第３の端末と
上記前記第１の端末乃至前記第３の端末と前記サーバとの間をインターネット網を介して接続する通信回線と
を備えたことを特徴とする建築図面管理システム。
【請求項２】
前記枠データは、階層枠データ、領域枠データ、レイヤ枠データからなることを特徴とする請求項１に記載の建築図面管理システム。
【請求項３】
前記第１の端末において、前記階層枠データ中の所定の領域を複数の領域に分割して前記領域枠データを生成する領域枠生成手段と、前記領域枠データから複数の前記レイヤ枠データを生成するレイヤ枠データ生成手段とを備えたことを特徴とする請求項１又は、請求項２に記載の建築図面管理システム。
【請求項４】
前記記憶手段において、前記枠データを階層枠データ、領域枠データ、レイヤ枠データの順にアーキテクチャ構造を１つの組として、前記１つの組を日別に異なったデータとして記憶することを特徴とする請求項１乃至３に記載の建築図面管理システム。
【請求項５】
前記第２の端末において、レイヤ枠データ選択画面上のレイヤ枠ボタンをクリックすることによって、レイヤ枠データを表示させる第１の枠データ表示手段を備えたことを特徴とする請求項１乃至４に記載の建築図面管理システム。
【請求項６】
前記第３の端末において、枠データ選択画面上の階層枠ボタン、領域枠ボタン、又はレイヤ枠ボタンをクリックすることによって、階層枠データ、領域枠データ、又はレイヤ枠データを前記第３の端末の表示部に表示させる第２の枠データ表示手段を備えたことを特徴とする請求項１乃至５に記載の建築図面管理システム。
【請求項７】
前記第３の端末において、その取得した前記枠データを前記検証手段において検証し、その結果、前記枠データの修正が必要な場合は、前記枠データの修正要求を前記第２の端末に送信する修正要求送信手段と、修正が必要ない場合は、チェック済信号を前記サーバに送信するチェック済信号送信手段と、前記サーバが備えた記憶部にチェック済の旨を記憶するチェック済記憶手段とを備えたことを特徴とする請求項１乃至５に記載の建築図面管理システム。
【発明の詳細な説明】
【技術分野】
【０００１】
本発明は、建築物の設計・施工・管理に使用・作成される膨大な施工図面を共通の枠で作成し、これをサーバで一括管理することにより、リアルタイムに図面のチェックを行える建築図面管理システムに関する。
【背景技術】
【０００２】
建築物の企画・設計・施工・管理という一連の業務プロセスには、設計事務所、施工業者、建築物管理者の他にも資材・設備機器メーカーに至るまで多くの関係者が関与し、膨大な数の図面が作成されている。近年、ＣＡＤ（Ｃｏｍｐｕｔｅｒ  Ａｉｄｅｄ  Ｄｅｓｉｇｎ）の導入により、設計業務の効率化と図面情報の電子化が図られているが、現実には、各図面担当者がＣＡＤ図面データを紙に出力し、それを現場に持ち寄って打ち合わせし、図面データのチェック、修正、変更作業を繰り返している。このように、建築現場施工図作成上の非能率・非効率な現状は、図面情報の電子化が図られた現在においても大きく変わっていない。
【０００３】
また、２次元ＣＡＤで作成した図面は２次元図面であるため、２次元図面から３次元モデルとしての建築物の形状認識は多くの経験を要する。このため、設計ミスや干渉チェックを２次元図面作成段階から見つけ出すのは困難である。
【０００４】
このような問題点を解決するため、近年では、３次元的にＸ、Ｙ、Ｚ軸で表現された建築物を表現できる機能をもった３次元ＣＡＤが一般的に普及してきた。３次元ＣＡＤは、建築物を３次元表現できるため、設計者自身も建築物のあらゆる角度から視覚的に検証でき、設計ミス、干渉チェックを設計段階から見つけやすい利点がある。現在、３次元ＣＡＤによる建築物のモデリングは、外観や室内の検討やプレゼンテーション等の企画、基本設計段階によく使われている。
【０００５】
近年、インターネットの発達により、さまざまなデータのやりとりが容易になっている現状においては、ＣＡＤによって作成された図面の電子データもインターネットを使ってやりとりできるようになってきており、建築図面管理システムにおいても生かされつつある。
【０００６】
特許文献１においては、３次元のオブジェクト指向型ＣＡＤによって作成された３次元図面と２次元図面（躯体図、平面詳細図等）を連動させた図面データをサーバに保存しておき、そのサーバと設計業者、現場管理者等の端末をインターネットによって接続して、各端末から図面データを見ることができるようにした技術が開示されている。
【特許文献１】特開２００２−１９７１２６
【発明の開示】
【発明が解決しようとする課題】
【０００７】
しかしながら、特許文献１において想定されている３次元ＣＡＤは、３次元のオブジェクト指向型ＣＡＤである。３次元のオブジェクト指向型ＣＡＤは、一般的に建築物の壁、サッシ、ドア等のあらかじめ部品登録されたオブジェクトを配置設計するものであり、図面も設計図、施工図合わせても２００枚程度の小住宅や小規模建築物の３次元ＣＡＤとして一般的には使用されているものであり、図面も設計図、施工図合わせても数千枚程度の大規模な建築物をカバーできない。また、３次元のオブジェクト指向型ＣＡＤは、施工段階における各工事業者が作成する施工図の要求をかなえる機能を有していない。
【０００８】
また、建築物３次元モデルを施工段階で利用する場合、建築物３次元モデルの詳細設計が最終的なものでないと利用できない。現在の建築現場では、３次元ＣＡＤで施工図を作成していない。コスト的にも時間的にも施工段階での３次元モデル作成は困難であるからである。設計段階で作成された建築物３次元モデルは、基本設計データを基にした建築物３次元モデルであって、これは、通常打ち合わせ用として用いられる。
【０００９】
以上のような問題に鑑みて、本発明は、数千枚程度の施工図を必要とする大規模な建築物をカバーでき、３次元ＣＡＤを施工段階で使用することによって、３次元ＣＡＤによる利点を生かした建築図面管理システムを提供することを目的とする。
【課題を解決するための手段】
【００１０】
上記に挙げた目的を達成するために、第１の発明は、枠データを記憶する記憶手段を備えたサーバと、前記枠データを生成する生成手段と、前記サーバに前記枠データを送信する第１の送信手段とを備えた第１の端末と、前記枠データを前記サーバから取得する第１の取得手段と、前記第１の取得手段により取得した枠データを加工し、前記加工した枠データを前記サーバに送信する第２の送信手段とを備えた第２の端末と、前記枠データを前記サーバから取得する第２の取得手段と、前記第２の取得手段により取得した枠データを検証する検証手段を備えた第３の端末と上記前記第１の端末乃至前記第３の端末と前記サーバとの間をインターネット網を介して接続する通信回線とを備えたことを特徴とする。
【００１１】
第２の発明は、前記枠データは、階層枠データ、領域枠データ、レイヤ枠データからなることを特徴とする。
【００１２】
第３の発明は、前記第１の端末において、前記階層枠データ中の所定の領域を複数の領域に分割して前記領域枠データを生成する領域枠データ生成手段と、前記領域枠データから複数の前記レイヤ枠データを生成するレイヤ枠データ生成手段とを備えたことを特徴とする。
【００１３】
第４の発明は、前記記憶手段において、前記枠データを階層枠データ、領域枠データ、レイヤ枠データの順にアーキテクチャ構造を１つの組として、前記１つの組を日別に異なったデータとして記憶することを特徴とする。
【００１４】
第５の発明は、前記第２の端末において、第１の枠データ選択画面上のレイヤ枠ボタンをクリックすることによって、レイヤ枠データを表示させる第１の枠データ表示手段を備えたことを特徴とする。
【００１５】
第６の発明は、前記第３の端末において、第２の枠データ選択画面上の階層枠ボタン、領域枠ボタン、又はレイヤ枠ボタンをクリックすることによって、階層枠データ、領域枠データ、又はレイヤ枠データを前記第３の端末の表示部に表示させる第２の枠データ表示手段を備えたことを特徴とする。
【００１６】
第７の発明は、前記第３の端末において、その取得した前記枠データを前記検証手段において検証し、その結果、前記枠データの修正が必要な場合は、前記枠データの修正要求を前記第２の端末に送信する修正要求送信手段と、修正が必要ない場合は、チェック済信号を前記サーバに送信するチェック済信号送信手段と、前記サーバが備えた記憶部にチェック済の旨を記憶するチェック済記憶手段とを備えたことを特徴とする。
【発明の効果】
【００１７】
第１の発明によれば、サーバと、第１の端末と、第２の端末と、第３の端末と上記前記第１の端末乃至前記第３の端末と前記サーバとの間をインターネット網を介して接続する通信回線とを備えているので、設計業者によって、統一された形式の枠データを使って作成された図面データを現場においてリアルタイムに３次元図面データに変換してチェックでき、建築の工程を細かく管理でき、建築の作業の効率を上げることができる。
【００１８】
第２の発明によれば、前記枠データは、階層枠データ、領域枠データ、レイヤ枠データからなるので、階層レベル、領域レベル、レイヤレベルで枠データを簡単にチェックできる。
【００１９】
第３の発明によれば、前記第１の端末において、前記階層枠データ中の所定の領域を複数の領域に分割して前記領域枠データを生成する領域枠データ生成手段と、前記領域枠データから複数の前記レイヤ枠データを生成するレイヤ枠データ生成手段とを備えているので、簡単に領域枠データ、レイヤ枠データを作成することができる。
【００２０】
第４の発明によれば、前記記憶手段において、前記枠データを階層枠データ、領域枠データ、レイヤ枠データの順にアーキテクチャ構造を１つの組として、前記１つの組を日別に異なったデータとして記憶するので、枠データを見る時に、見たい部分のデータを階、領域、又はレイヤを指定するだけで迅速に見ることができる。また、前記図面データを日ごとに記憶してあるから、過去における枠データを見ることができるので、建築設計の全体的な進み具合等も把握することが可能となる。
【００２１】
第５の発明によれば、前記第２の端末において、第１の枠データ選択画面上のレイヤ枠ボタンをクリックすることによって、レイヤ枠データを表示させる第１の枠データ表示手段を備えているので、前記第２の端末で枠データを表示させる操作が簡単になる。
【００２２】
第６の発明によれば、前記第３の端末において、第２の枠データ選択画面上の階層枠ボタン、領域枠ボタン、又はレイヤ枠ボタンをクリックすることによって、階層枠データ、領域枠データ、又はレイヤ枠データを前記第３の端末の表示部に表示させる第２の枠データ表示手段を備えているので、前記第３の端末で図面データを表示させる操作が簡単になる。
【００２３】
第７の発明によれば、前記第３の端末において、その取得した前記枠データを前記検証手段において検証し、その結果、前記枠データの修正が必要な場合は、前記枠データの修正要求を前記第２の端末に送信する修正要求送信手段と、修正が必要ない場合は、チェック済信号を前記サーバに送信するチェック済信号送信手段と、前記サーバが備えた記憶部にチェック済の旨を記憶するチェック済記憶手段とを備えているので、現場で検証した結果がすぐに図面データに反映されることになり、全体として仕事を迅速に進めることが可能となる。
【発明を実施するための最良の形態】
【００２４】
本発明の建築図面管理システムを図面を参照して、以下具体的に説明する。図１は、本発明が適用された建築図面管理システムの全体構成の一例を示したものである。インターネット網５を介して、全体設計端末１、部分設計端末２、現場管理端末３がそれぞれサーバ４に接続できるようになっている。
【００２５】
なお、全体設計端末１、部分設計端末２、現場管理端末３がサーバ４に接続する時に、セキュリティを考慮して、サーバ４に接続認証機能プログラムを設け、上記各端末がサーバ４に接続する場合にＩＤとパスワードを要求するようにしてもよい。
【００２６】
全体設計端末１は、２次元図面データ、３次元図面データを扱える機能を有しており、例えば、３次元ＣＡＤ装置を用いて構成される。部分設計端末２は、２次元図面データを作成する機能を有しており、例えば、２次元ＣＡＤ装置を用いて構成される。現場管理端末３は、２次元図面データ、３次元図面データを扱える機能を有しており、例えば、３次元ＣＡＤ装置を用いて構成される。本発明においては、枠データという用語を用いているが、枠データとは、２次元図面として作成された平面図の図面データ、正面図の図面データ、背面図の図面データ、右側面図の図面データ、左側面図の図面データ，天井見上げ図の図面データを１つの組とした図面データを指し、この枠データは、階、領域、レイヤ別の種類がある。この枠データは、２次元ＣＡＤ装置、３次元ＣＡＤ装置で用いられている図面作成・加工プログラムで作成・加工できる。
【００２７】
［全体設計端末及び部分設計端末の動作］
次に本発明の実施の形態における建築図面管理システムの動作について、図２〜図１２を使って説明する。図２は、全体設計端末１とサーバ４、部分設計端末２とサーバ４の動作を示すフローチャート図である。
【００２８】
まず、図２のステップＳ１０１においては、全体設計端末１で、階層枠データ１００を作成する。階層枠データ１００は、例えば、図３において示すような階層枠データ表示画面の態様で表示部１５に表示され、階毎の平面図１００ａ、正面図１００ｂ、背面図１００ｃ、右側面図１００ｄ、左側面図１００ｅ，天井見上げ図１００ｆからなる。
【００２９】
次に全体設計端末１の構成について図４を参照して説明する。図４は、全体設計端末１のブロック図を示している。全体設計端末１は、入力部１１、全体設計端末１中の各種信号を制御する制御部１２、図面作成・加工プログラム等にしたがって演算を行う演算部１３、図面作成・加工プログラム等が記憶されている図面作成・加工部１４ａ、２次元図面データを３次元の図面データに変換する変換部１４ｂ、枠データ生成部１４ｃ、表示部１５、作成された枠データを記憶しておくデータメモリ部１６、枠データを送受信する機能を備えた通信部１７を備えている。
【００３０】
全体設計端末１で階層枠データ１００を作成する場合、まず図３の左上にある階表示部６０にこれから作成しようとする階層枠データの階数、例えば「１階」と入力する。入力部１１から制御部１２に図面作成・加工プログラム呼び出し信号を送り、これを受けた制御部１２は、図面作成・加工部１４ａから図面作成・加工プログラムを呼び出す。次に入力部１１から入力したデータは、演算部１３で図面作成・加工プログラムにしたがって演算され、演算結果は、データメモリ部１６に記憶され、表示部１５においては、たとえば、図３に示すように表示される。図面作成・加工プログラムは、例えば、３次元ＣＡＤ装置で使用されている図面作成・加工プログラムでよい。
【００３１】
また、作成した１００ａ〜１００ｆから構成される階層枠データ１００が建築構造物として不整合部分があるか否かを確認する場合は、作成された階層枠データ１００を３次元図面データに変換して確かめる。この場合は、入力部１１から制御部１２に変換プログラム呼び出し信号を送り、これを受けた制御部１２は、変換部１４ｂに格納されている階層枠データを３次元図面データに変換する変換プログラムを変換部１４ｂから呼び出す。演算部１３で変換プログラムにしたがって、階層枠データ中の平面図の図面データ、正面図の図面データ、背面図の図面データ、右側面図の図面データ、左側面図の図面データ，天井見上げ図の図面データを組み上げて、３次元図面データに変換され、データメモリ部１６に記憶され、表示部１５上に３次元図面データとして表示される。これを検証して、建築構造物として不整合部分があるか否かを確認する。ここで変換プログラムは、例えば、３次元ＣＡＤで使用されている２次元図面データを３次元図面データに変換する変換プログラムを用いる。
【００３２】
次に図２のステップＳ１０２において、全体設計端末１で作成した階層枠データ１００から領域枠データ２００、レイヤ枠データ３００を作成する。階層枠データ１００は、図３の階層枠データ表示画面中の平面図１００ａ、天井見上げ図１００ｆにおいて、例えば、Ｙ１線、Ｙ２線、Ｙ３線、Ｘ１線、Ｘ２線によって、２つの領域１、領域２に分けられているが、領域枠データ２００は、この領域１又は領域２の部分についてのみの枠データである。領域枠データ２００も階毎の平面図２００ａ、正面図２００ｂ、背面図２００ｃ、右側面図２００ｄ、左側面図２００ｅ，天井見上げ図２００ｆからなり、例えば、画面上において、図５において示すような領域枠データ表示画面の態様で出力される。レイヤ枠データ３００も階毎の平面図３００ａ、正面図３００ｂ、背面図３００ｃ、右側面図３００ｄ、左側面図３００ｅ，天井見上げ図３００ｆからなり、例えば、画面上において、図６において示すようなレイヤ枠データ表示画面の態様で出力される。レイヤ枠データ３００は、領域枠データ２００を部分設計端末を使用する業者数分だけ複製した枠データである。また、レイヤ枠データ３００は、部分設計端末を使用する業者が設計に際して使用する枠データであり、レイヤ枠データ３００上に各設計業者が設計作業を行う。このレイヤ枠データ３００への設計作業によって、サッシ施工図、設備施工図等が作成されることになる。レイヤ枠データ３００は、領域枠データ２００の複製であるのでその表示画面も図６に示すように領域枠データ２００の表示画面態様とほぼ同様になる。
【００３３】
ある領域枠データ２００、又はレイヤ枠データ３００が領域１か領域２かは、図５の左上方にある参照番号６９、又は図６の左上方にある参照番号６４にそれぞれ「１階―領域１」、「１階―領域１―レイヤ４」のように示されている。
【００３４】
領域枠データ２００及びレイヤ枠データ３００を生成する領域枠データ生成ステップ及びレイヤ枠データ作成ステップについて図７に示すフローチャートで説明する。ステップＳ００１において、階層枠データ１００より、通り芯データを取り出す。通り芯データは、例えば、図３に示す通り芯Ｙ１線、Ｙ２線、Ｙ３線、Ｘ１線、Ｘ２線等の線分情報（始点、終点の座標データ、及び始点から終点へのベクトル）によって構成される。ステップＳ００２において、ステップＳ００１で得られた線分情報をもとに、それぞれの通り芯どうしの交点座標を計算する。ステップＳ００３において、ステップＳ００２で得られた交点座標により、一領域を認識し、一領域を構成する通り芯データ（一領域を構成する前記線分情報）を得る。一領域を認識するには、例えば、ある通り芯の線分情報のうち終点から見て、ベクトル方向時計回りに９０度回転において最短距離にある交点を終点とする新たな線分を作り、さらに、その終点から前記と同様の動作を繰り返し、最初の終点に対応する始点を終点とする線分情報とする線分が作られた時点で一領域が認識されることになる。ステップＳ００４においては、ステップＳ００３において認識された一領域を枠データ所定位置に配置する。これは、図５に示すような態様で表示部１５に出力される。ステップＳ００５において、全ての領域において、ステップＳ００３〜Ｓ００４の過程作業が終了したか否かを判断し、終了していない場合は、他の一領域について、ステップＳ００３〜Ｓ００４の作業が行われる。全ての領域について、枠データ所定位置の配置が終了したら、ステップＳ００６で領域枠データが完成し、領域枠データの生成が終了する。ステップＳ００７において、レイヤ数指定部６１に必要なレイヤ数を入力し、ステップＳ００８において、その入力されたレイヤ数の数だけ領域枠データが作成されたかを判断する。入力されたレイヤ数の数だけ領域枠データが生成されていない場合は、ステップＳ００４にフィードバックし、入力されたレイヤ数の数だけ領域枠データが生成されるまで繰り返される。入力されたレイヤ数の数だけ領域枠データが生成されると、ステップＳ００９において、レイヤ枠データ３００の作成が完成する。
【００３５】
以上のような内容を持つ領域枠データ生成ステップ及びレイヤ枠データ作成ステップは、例えば、図３に示すようにマウスポインタ６３を枠データ作成ボタン６２に当て、クリックすることによって行う。クリックすることによって、制御部１２に枠データ生成信号が送信され、それを受けて枠データ生成部１４ｃから枠データ生成プログラムが呼び出され、演算部１３で前記ステップＳ００１〜ステップＳ００９に従った演算動作が行われ、その結果生成された領域枠データ２００、又はレイヤ枠データ３００は、データメモリ部１６に記憶される。
【００３６】
以上のようにしてレイヤ枠データ３００が作成されたら、ステップＳ１０３において、図６に示すようにマウスポインタ６３を送信ボタン６５に当て、クリックする。データメモリ部１６に記憶されたレイヤ枠データ３００が通信部１７でレイヤ枠データ信号１０００に変換され、インターネット網５を介して、サーバ４に送信される。
【００３７】
図２のステップＳ１０４において、レイヤ枠データ信号１０００をサーバ４で受信し、ステップＳ１０５において、レイヤ枠データ３００を記憶部４４に記憶する。
【００３８】
ここでサーバ４について、図８のサーバ４のブロック図を参照して説明する。サーバ４は、枠データを送受信する機能を備えた通信部４１、サーバ４中の各種信号を制御する制御部４２、検索プログラム等にしたがった演算を行う演算部４３、枠データ等を記憶する記憶部４４、端末から要求された枠データ等を記憶部４４から検索する検索プログラムを記憶した検索部４５を備えている。
【００３９】
以上のようにして、レイヤ枠データ３００をサーバ４の記憶部４４に記憶させたら次に図２のステップＳ１０６において、インターネット網５を介して、部分設計端末２をサーバ４に接続し、レイヤ枠データ選択画面要求信号１００１を送信する。ステップＳ１０７において、サーバ４は、レイヤ枠データ選択画面要求信号１００１を受信すると、ステップＳ１０８において、レイヤ枠データ選択画面信号１００２を部分設計端末２に送信する。
【００４０】
ここで部分設計端末２について、図９の部分設計端末２のブロック図を参照して説明する。２次元設計端末２は、入力部２１、部分設計端末２中の各種信号を制御する制御部２２、図面作成・加工プログラム等にしたがった演算を行う演算部２３、図面作成・加工プログラム等を記憶した図面作成・加工部２４、枠データを表示できる機能を備えた表示部２５、作成された枠データを記憶しておくデータメモリ部２６、枠データを送受信する機能を備えた通信部２７を備えている。
【００４１】
図２のステップＳ１０９において、レイヤ枠データ選択画面信号１００２を部分設計端末２において受信し、表示部２５に表示する。表示部２５には、例えば、図１０に示すような階層枠、領域枠、レイヤ枠順の階層構造になったレイヤ枠データ選択画面２０２が表示される。部分設計端末２から階層枠、領域枠を選択しても、階層枠データ、領域枠のデータは閲覧はできるが、加工できないようになっている。レイヤ枠データ選択画面２０２の右上には、日又は、期間を入力できる期間入力部６６がある。階層枠データ、領域枠のデータを閲覧できるようにすることによって、自分のレイヤの施工図作成の際、参考にできる。
【００４２】
表示部中の各レイヤは、例えば、レイヤ１は、サッシ工事業者レイヤ、レイヤ２は、電気工事業者のレイヤ、レイヤ３は、機械設備工事のレイヤ等のように各部門別のレイヤとなっている。各工事業者は、自分の担当レイヤにおけるレイヤ枠データのみを取得して、設計業務を行う。図２のステップＳ１１０において、レイヤ枠データ選択画面２０２中から必要なレイヤ枠データを選択し、必要レイヤ枠データ要求信号１００３を送信する。具体的には、入力部２１から、例えば、図１０に示すように部分設計端末２のレイヤ枠データ選択画面２０２中の自分の担当のレイヤボタン部分にマウスポインタ６３を当てクリックすることによって、制御部２２に信号を送り、通信部２７を通じてサーバ４に必要レイヤ枠データ要求信号１００３を送る。例えば、サッシ工事業者は、レイヤ枠データ選択画面２０２中のレイヤ１ボタンにマウスポインタ６３を当てて、クリックする。
【００４３】
図２のステップＳ１１１において、サーバ４は、その必要レイヤ枠データ要求信号１００３を受ける。ステップＳ１１２において、受信した必要レイヤ枠データ要求信号１００３は、通信部４１を通じて、制御部４２に送られ、制御部４２は、検索部４６から検索プログラムを呼び出し、演算部４３で検索プログラムにしたがって演算して、要求信号に応じたレイヤ枠データを記憶部４４から検索して、そのレイヤ枠データ３００を部分設計端末２に送信する。
【００４４】
図２のステップＳ１１３において、部分設計端末２においてレイヤ枠データ信号１００４を受信し、要求したレイヤ枠データを得ると、例えば、図６に示すような画面が表示部２５に表示される。要求したデータか否かは、画面左上にある参照番号６４に表示された「階―領域―レイヤ」の表示で確認する。例えば、要求したレイヤ枠データが「１階―領域１―レイヤ４」の場合は、参照番号６４に表示された「階―領域―レイヤ」の表示も「１階―領域１―レイヤ４」になる。
【００４５】
図２のステップＳ１１４において、そのレイヤ枠データを加工し、新たなレイヤ枠データを作成し、その加工したレイヤ枠データをサーバ４に送信する。この場合は、図９に示す入力部２１から、制御部２２に図面作成・加工部２４を起動させる信号を送り、その信号を受けて制御部２２が図面作成・加工部２４から図面作成・加工プログラム２４を呼び出し、図面作成・加工プログラム２４にしたがって、入力部２１から入力されたデータが演算部２３で演算され、演算結果がデータメモリ部２６に記憶され、表示部２５に出力される。図面作成・加工部２４は、例えば、２次元ＣＡＤ装置で使用されている図面作成・加工プログラムがある。
【００４６】
部分設計端末２によって作成されたレイヤ枠データは、例えば、図１１、１２に示すようにレイヤ枠データ表示画面上に表示される。図１１は、「１階―領域１―レイヤ１」のレイヤ枠データを加工して、サッシ業者が新たなレイヤ枠データを作成した例であり、図１２は、「１階―領域１―レイヤ２」のレイヤ枠データを加工して、電気工事業者が新たなレイヤ枠データを作成した例である。
【００４７】
以上のようにして加工されたレイヤ枠データは、例えば、マウスポインタ６３を送信ボタン６５に当て、クリックすることによって、加工されたレイヤ枠データがレイヤ枠データ信号１００５として送信される。レイヤ枠データ信号１００５は、図９に示される通信部２７、インターネット網５を介して、サーバ４に送信される。
【００４８】
図２のステップＳ１１５において、レイヤ枠データ信号１００５は、図８のサーバ４で受信され、記憶部４４に記憶される。記憶部４４は、例えば、図１３に示すような階層枠データ、領域枠データ、レイヤ枠データの順にアーキテクチャ構造を１つの組として、日別に異なったデータとして記憶されている。所定日に、複数回、加工したレイヤ枠データを送信した場合は、その日の間ならレイヤ枠データは更新され、ある日において最終的に送ったレイヤ枠データがその日におけるレイヤ枠データとして、記憶されることになる。日が変わると、レイヤ枠データは、別の日のデータとして別に記憶される。
【００４９】
［現場管理端末の動作］
各設計業者は、以上のことを日々繰り返してレイヤ枠データを完成させていく。これと時間的に平行して、現場管理者は、その各設計業者が作成したレイヤ枠データについてチェックしていく。現場管理者がレイヤ枠データをチェックする時の現場管理端末３とサーバ４の動作を図１４〜図１７を使って以下説明する。
【００５０】
まず、現場管理端末３について、図１５の現場管理端末３のブロック図を参照して説明する。現場管理端末３は、入力部３１、現場管理端末３中の各種信号を制御する制御部３２、変換プログラム等にしたがった演算を行う演算部３３、変換プログラム等が記憶された変換部３４、枠データを表示できる機能を備えた表示部３５、サーバ４から受信した枠データを記憶しておくデータメモリ部３６、枠データを送受信する機能を備えた通信部３７を備えている。
【００５１】
図１４は、現場管理端末３とサーバ４の動作を示すフローチャートである。図１４のステップＳ２０１において、現場管理端末３をインターネット網５を通じて、サーバ４に接続し、枠データ選択画面要求信号２０００をサーバ４に送信する。ステップＳ２０２において、サーバ４が枠データ選択画面要求信号２０００を受信したら、ステップＳ２０３において、サーバ４は、現場管理端末３に枠データ選択画面信号２００１を送信する。ステップＳ２０４において、現場管理端末３が枠データ選択画面信号２００１を受信したら、現場管理端末３の表示部３５には、例えば、図１６に示すような枠データ選択画面２０３が表示される。
【００５２】
図１４のステップ２０４において、現場管理端末３の表示部３５に表示された枠データ選択画面２０３において、画面右上にある期間指定部６６において日や期間を特定する。日や期間は、現場管理端末３の入力部３１から期間指定部６６に入力することによって特定する。このようにして日や期間を特定した後、例えば、現場管理端末３の表示画面中の階層枠ボタン、又は領域枠ボタン、又はレイヤ枠ボタン部分にマウスポインタ６３を当てクリックすると、信号が制御部３２から通信部３７を通じて、日、期間、階層枠データ、領域枠データ、レイヤ枠データを特定した要求枠データ信号２００２がサーバ４へ送信される。
【００５３】
図１４のステップＳ２０６において、要求枠データ信号２００２がサーバ４で受信されると、ステップＳ２０７において、要求枠データ信号に応じた枠データが記憶部４４から検索して取り出される。検索の動作は、サーバ４の制御部４２が検索部４６から検索プログラムを呼び出し、検索プログラムにしたがって、日、期間、階層枠データ、領域枠データ、レイヤ枠データを特定する枠データが記憶部４４から検索され、その検索結果がサーバ４から現場管理端末３に送信されるようになっている。
【００５４】
図１６の期間指定部６６において日のみを特定した場合は、その特定した日のみの枠データを閲覧できる。例えば、期間入力部６６に２００４年６月１６日と入力すると２００４年６月１６日分の枠データが得られる。期間指定部６６において期間を指定した場合は、その指定した期間に記憶された枠データを閲覧できる。例えば、期間初日が２００４年６月１６日の場合に期間指定部６６に２００４年６月１６日から２００４年６月２０日と入力するとその間に蓄積された枠データが得られる。
【００５５】
また、階層枠ボタンをクリックするとその階の階層枠データを要求することになる。例えば、図１６の「２階」の部分にマウスポインタ６３を当てクリックすると、「２階」部分の階層枠データを取得できる。ある特定の階の特定領域を指定するとその特定の階の特定領域の枠データを全て要求することになる。図１６の３階の下位にある領域２のボタン部分に、マウスポインタ６３を当てクリックすると、３階の下位にある領域２のボタン部分の領域枠データを取得できる。図１４のステップＳ２０８において、枠データ信号２００３を現場管理端末で受信し、枠データを得る。
【００５６】
以上のようにして得られた枠データを現場で検証してそれを修正する方法について以下説明する。図１４のステップＳ２０９において、枠データについて、建築現場で閲覧する場合は、３次元図面データとして見た方が建築物の不整合をチェックできる。この場合は、現場管理端末３の入力部３１から枠データを３次元図面データ４００に変換を要求する信号を制御部３２へ送ると、制御部３２は、変換部３４から変換プログラムを呼び出す。演算部３３で変換プログラムにしたがって、枠データ中の平面図の図面データ、正面図の図面データ、背面図の図面データ、右側面図の図面データ、左側面図の図面データ，天井見上げ図の図面データを組み上げ３次元図面データに変換する演算が行われ、演算結果がデータメモリ部３６に記憶される。表示部３５には、例えば、図１７に示すような３次元図面データ４００が表示される。参照番号６７においてどの部分の３次元図面データかが示されている。表示部３５に表示された操作部６８にマウスポインタ６３を当てて、３次元図面データを操作していろいろな角度から建築物の不整合をチェックする。なお、変換プログラムは、例えば、３次元ＣＡＤ装置で使用されている２次元図面データを３次元図面データに変換する変換プログラムを用いる。
【００５７】
ステップＳ２１０において、前記のようにして３次元図面データに変換した枠データで構造物に不整合部分があるか否かをチェックし、不整合部分がある場合は、以下のようにして不整合部分を修正する。現場管理端末から部分設計端末２に不整合部分についての修正内容を含む修正要求データ信号２００４を送信し、ステップＳ２１２において、部分設計端末２は、修正要求データ信号２００４を受信し、ステップＳ２１３において、部分設計端末２で枠データを修正し、修正した枠データを修正枠データ信号２００５として、インターネット網５を介して、現場管理端末３に送信する。修正枠データ信号２００５を受信した現場管理端末３は、再びステップＳ２０８からの動作に戻り、以後ステップＳ２１０において、枠データに不整合部分がなくなるまで繰り返されることになる。
【００５８】
得られた枠データを現場で検証して修正の必要がない場合は、ステップ２１０において、ステップＳ２１１に進み、現場管理端末３から枠データチェック済信号２００６をサーバ４に送信する。ステップＳ２１４において、サーバ４は、枠データチェック済信号２００６を受信し、その旨の情報が図８の記憶部４４に記憶される。ここで枠データチェック済信号が送られた枠データには、以後、その枠データを受信した場合、例えば、「チェック済」等その旨の表示がされることになる。
【００５９】
このように、現場においては、リアルタイムにその時点までに出来上がっている枠データをリアルタイムに閲覧できるので、建築の状況を把握できることになり、効率良い作業ができる。また、レイヤ枠データを元に加工して作成したレイヤ枠データがそのまま３次元図面データに変換できる基礎となるので、建築現場では容易に施工図面のチェックができる。もし何か問題あれば、部分設計端末２でレイヤ枠データを元に設計した部分設計業者に施工図面をリアルタイムに修正・変更の指示ができ、施工図作成過程において迅速に対応が可能となる。
【００６０】
また、枠データが日ごとに記憶されているので、例えば、現場管理端末に、日ごとの枠データを一定時間経過ごとにその枠データがスライドするような機能を持たせ、それを画面上に３次元図面データとして、図１５の表示部３５に表示させることによって、どの日にどの程度の仕事の進み具合があったか等、施工図面作成過程の全体が見渡せるので、現在の建築物の施工図作成の案件において、そのデータを生かして、更に効率良い作業に資することになる。
【図面の簡単な説明】
【００６１】
【図１】本発明の建築図面管理システムの全体構成の一例を示す図である。
【図２】全体設計端末とサーバとの間の動作、部分設計端末とサーバとの間の動作を示すフローチャートである。
【図３】全体設計端末によって作成した階層枠データの一部を表示部に出力した図である。
【図４】本発明の建築図面管理システムで使用する全体設計端末のブロック図である。
【図５】領域枠データを表示部に表示した図である。
【図６】レイヤ枠データを表示部に表示した図である。
【図７】領域枠データ及びレイヤ枠データ生成の流れを示すフローチャートである。
【図８】本発明の建築図面管理システムで使用するサーバのブロック図である。
【図９】本発明の建築図面管理システムで使用する部分設計端末のブロック図である。
【図１０】レイヤ枠データ選択画面を表示部に出力した図である。
【図１１】レイヤ枠データを使ってアルミサッシ業者が加工をした枠データを表示部に出力した図である。
【図１２】レイヤ枠データを使って電気工事業者が加工をした枠データを表示部に出力した図である。
【図１３】本発明の建築図面管理システムで使用する記憶部の構成を示す図である。
【図１４】現場管理端末とサーバ、現場管理端末と部分設計端末との間の動作を示すフローチャートである。
【図１５】本発明の建築図面管理システムで使用する現場管理端末のブロック図である。
【図１６】枠データ選択画面を表示部に出力した図である。
【図１７】現場管理端末において、枠データを変換プログラムで３次元図面データに変換した態様を表示部に出力した図である。
【符号の説明】
【００６２】
１  全体設計端末
２  部分設計端末
３  現場管理端末
４  サーバ
５  インターネット網
１１、２１、３１  入力部
１２、２２、３２、４２  制御部
１３、２３、３３、４３  演算部
１４ａ、２４  図面作成・加工部
１４ｂ、３４  変換部
１４ｃ  枠データ生成部
１５、２５、３５  表示部
１６、２６、３６  データメモリ部
１７、２７、３７、４１  通信部
４４  記憶部
４５  検索部
６０  階表示部
６１  レイヤ数入力部
６２  枠データ作成ボタン
６３  マウスポインタ
６４、６７、６９  部分表示部
６５  送信ボタン
６６  期間指定部
６８  操作部
１００  階層枠データ
２００  領域枠データ
２０２  レイヤ枠データ選択画面
２０３  枠データ選択画面
３００  レイヤ枠データ
４００  ３次元図面データ
【図１】
2006004109.tif 000003
【図２】
2006004109.tif 000004
【図３】
2006004109.tif 000005
【図４】
2006004109.tif 000006
【図５】
2006004109.tif 000007
【図６】
2006004109.tif 000008
【図７】
2006004109.tif 000009
【図８】
2006004109.tif 000010
【図９】
2006004109.tif 000011
【図１０】
2006004109.tif 000012
【図１１】
2006004109.tif 000013
【図１２】
2006004109.tif 000014
【図１３】
2006004109.tif 000015
【図１４】
2006004109.tif 000016
【図１５】
2006004109.tif 000017
【図１６】
2006004109.tif 000018
【図１７】
2006004109.tif 000019